(57)【特許請求の範囲】
【請求項１】
ＩＣカードによる保険証カードと、ＩＣカード読み取り部と繰り返し読み書き可能な記憶装置とモニタを備えた携帯電話と、医療機関等に設置されて前記保険証カード内の情報の読み書きができるＩＣカードドライブおよびそのＩＣカードドライブの制御装置を有するパソコンとからなるＩＣカード保険証システムであり、前記保険証カードに記録されている保険証情報を、被保険者が所有する前記携帯電話に設けた前記ＩＣカード読み取り部により読み取って前記記憶装置へ記憶させて、前記携帯電話に保険証機能を持たせるとともに、前記携帯電話の記憶装置に読み込んだ保険証情報を医療機関に設置されたパソコンから管理機関に設置されたサーバに読み込ませて前記保険証情報が統括管理され、医療機関等に設けられた前記パソコンに接続された通信装置および前記携帯電話から、通信網を介して前記サーバに接続することによって、前記サーバ内の医療、薬剤、介護に関する各種情報を前記文字または音声で送受信可能であり、前記保険証カードに医療機関に設置したパソコンのＩＣカードドライブを介して未入力情報を記録することを特徴とする携帯電話を用いたＩＣカード保険証システム。
【請求項２】
前記携帯電話から、前記サーバへ所定の情報を送信可能とした請求項１記載の携帯電話を用いたＩＣカード保険証システム。
【発明の詳細な説明】
【０００１】
【発明の属する技術分野】
本発明は、ＩＣカードによる健康保険証および介護保険証の保険証情報を、被保険者が所有する携帯電話に記憶させて、携帯電話を保険証の代用として用いることができるシステムに関するものである。
【０００２】
【従来の技術】
病院や診療所等の医療機関を受診する際には、自分が加入している保険組合や地方自治体等の保険者が発行した健康保険証を医療機関に提示し、保険の種類に応じて、患者の自己負担額が決定される。同様に、介護サービスを受ける場合には、介護保険証を提示する。
【０００３】
そして、各医療機関または介護サービス機関では、保険の種類や保険番号等の保険証情報および被保険者への医療サービスや介護サービス等の内容を記録して管理するとともに、それぞれの保険者へ、報酬の保険者負担分を請求するレセプト等の事務処理を行っている。
【０００４】
また、従来より、保険証は、紙に保険証情報が印刷されたものが用いられているが、医療機関等において、保険証情報を手で書き写したり目視で確認する作業を電子化するために、近年、全国統一規格のＩＣカードによる保険証カードとすることが検討されており、例えば特開平１１−２５０１４０号公報において、ＩＣカード保険証を利用したシステムが提案されている。
【０００５】
上記公報が開示するシステムは、被保険者が提示した保険証カードを、保険証情報を管理する機関に設置されたサーバに照合することによって、保険証カードが失効中でないかどうかを容易且つ迅速に調べることができるため、事務効率の向上のみならず、防犯の上でも大きな効果を有するものである。
【０００６】
【発明が解決しようとする課題】
ところが、保険証をＩＣカード化しても、従来の紙の保険証と同様、医療機関等へ行く際に保険証カードを忘れた場合や、保険証カードを携帯していないときに事故や急病で医療機関を受診する場合には、保険が適用されなかった。
【０００７】
しかも、高齢者等で身分証明書を所持しない患者に対しては、患者の病歴や薬歴が不明なままで診療を行わなければならないばかりか、身元の特定も困難な場合があった。
【０００８】
また、保険証カードを常時携帯していると、紛失し、保険証情報を他人に読み取られて個人情報が流出する恐れがあった。
【０００９】
【課題を解決するための手段】
そこで、本発明は、ＩＣカードによる保険証カードと、ＩＣカード読み取り部と記憶装置とモニタを備えた携帯電話と、医療機関等に設置されて前記保険証カード内の情報の読み書きができるＩＣカードドライブおよびそのＩＣカードドライブの制御装置とからなるＩＣカード保険証システムであり、前記保険証カードに記録されている保険証情報を、被保険者が所有する前記携帯電話に設けた前記ＩＣカード読み取り部により読み取って前記記憶装置へ記憶させて、前記携帯電話に保険証機能を持たせ、管理機関に設置されたサーバにおいて前記保険証情報が統括管理され、医療機関等に設けられた通信装置および前記携帯電話から、通信網を介して前記サーバに接続することによって、前記サーバ内の医療、薬剤、介護に関する各種情報を文字または音声で送受信可能であることとした。
【００１０】
被保険者が、保険証カードの内容を自分の携帯電話に記憶させておくことによって、保険証カードを携帯していないときに医療機関を受診しても、保険診療を受けることができる。
【００１１】
そして、携帯電話からＩＣカードドライブの制御装置へ保険証情報を送信できれば、医療機関では、携帯電話によって保険証情報を提示した被保険者に対しても、保険証カードを提示された場合と同様に事務手続きを行うことができる。
【００１２】
また、保険証カードが、健康保険証または介護保険証の少なくとも一方の機能を有し、殊に、携帯電話に両方の保険証情報を記憶させれば、利用範囲が拡がる。
【００１３】
更に、医療機関に設けられた通信装置や被保険者が所有する携帯電話から、保険証情報を管理する管理機関のサーバへ、通信網を介して接続し情報の送受信ができることによって、医療機関等では保険証が失効していないかどうかを迅速に照会したり、診療記録等を入力してレセプトに要する事務手続きを簡略化させることができる。また、被保険者は、携帯電話を用いて自分の保険証情報を照会したり、保険証カードを紛失した際に、所定の情報をサーバへ送信することによって、迅速に保険証カードが無効になるように設定することができる。
【００１４】
また、サーバに記録された保険証情報を読み書きする際、電子鍵等の認証手段を必要とすることにより、他人にサーバ内の保険証情報が漏れたり改竄されたりするのを防ぐ。
【００１５】
更に、サーバに検診、診療録や薬歴、介護歴が記録されると、医療機関では、保険証カードを通じてサーバ内の情報を読み込むことによって、被保険者の病歴等が漏れなく照会できるので、被保険者が従来と異なる医療機関や診療科を受診する際でも、病歴や薬歴を申請し直す必要がなく、安全且つ十分な医療サービスを受けることができる。しかも、介護サービス機関と医療機関との連携もスムーズに行える。
【００１６】
更に、サーバ内に記憶された医療、薬剤、介護に関する各種情報を、被保険者の携帯電話へ文字または音声で提供することにより、管理機関や各種サービス機関から特定の被保険者へ必要な情報を送信したり、被保険者が所望する情報を受信したりすることができる。
【００１７】
【発明の実施の形態】
本発明の実施の形態を図面に基づいて説明する。
【００１８】
図１は本発明の実施の形態を示すものである。
【００１９】
保険証情報を統括管理する管理機関１にはサーバ１１が設置され、サーバ１１へは、所定の通信網、例えばインターネットを介して外部通信機器から接続可能とされている。また、サーバ１１には、図２に示すように、被保険者毎の健康保険証情報や介護保険証情報、無効保険証情報、診療録や臨床検査結果等の病歴情報、投薬歴やアレルギー体質等の薬歴情報、介護歴情報、そして、医療機関や保険組合等から提供される医療情報や薬局等から提供される薬剤情報、介護サービス業者や地方自治体等から提供される介護サービス情報等の各情報が記憶されていて、これらの各情報は制御装置１２によって制御され、インターネットを介して、被保険者２や医療機関３等へ提供される。尚、通信網はインターネットに限らず、ＬＡＮ等の専用通信網や、携帯電話会社固有の通信網などでも構わない。
【００２０】
病院や診療所等の医療機関３や薬局、介護サービス機関には、ＩＣカードによる保険証カード２１のデータを読み書きできるＩＣカードドライブ３１が設置され、ＩＣカードドライブ３１には、制御装置、通信装置、モニタ、入力装置を備えたパソコン３２が接続されていて、保険証カード２１から読み込んだ保険証情報をモニタに表示させたり、キーボードやマウス等の入力装置によって保険証カード２１へ所定の情報を入力したりする。また、パソコン３２からは、インターネットを介してサーバ１１へ接続し、サーバ１１内の情報を読み書きすることができる。
【００２１】
被保険者２は、地方自治体や保険組合等の保険者から、ＩＣカードによる保険証カード２１を交付され、保険証カード２１には、図３に示すように、カードＩＤやパスワード等の識別情報、被保険者の氏名や住所、生年月日、血液型、写真等の個人情報、保険種別や保険証記号等の保険証情報、検診、診察を受けた医療機関や診療科、検診情報、診療録等の病歴情報、アレルギー体質や投薬歴等の薬歴情報、そして、これらの情報を管理しているサーバ１１へ接続するためのアクセス先情報が、各エリアに分けて記憶されている。また、被保険者２が介護保険の被保険者に該当する場合には、保険証カード２１の右方譲歩あ介護保険証情報や介護歴情報も記憶される。
【００２２】
そして、被保険者２が所有する携帯電話２２には、繰り返し読み書き可能な記憶装置が内蔵されているとともに、接触式または非接触式で保険証カード２１の情報を読み取ることができるＩＣカード読み取り部が設けられていて、自分の保険証カード２１の内容を読み取って携帯電話２２に内蔵された記憶装置に記憶させ、その内容をモニタに表示させることができる。
【００２３】
また、携帯電話２２は、管理機関１のサーバ１１へ接続するための所定の通信網、例えばインターネットへの接続が可能であり、サーバ１１へ接続してパスワード等の識別情報を送信することによって、サーバ１１内に記憶された自分の保険証情報や病歴、医療情報等を閲覧することができる。この場合、自分に関する全ての情報を閲覧可能としてもよいし、管理機関１によって、被保険者２が自由に閲覧できるエリアを制限してもよい。
【００２４】
以下、本発明のシステムの利用例を説明する。
【００２５】
被保険者２は、保険者によってＩＣカードによる保険証カード２１が交付されると、自分の携帯電話２２のＩＣカード読み取り部によって保険証情報を読み取り、携帯電話２２の記憶装置に記憶させる。
【００２６】
そして、被保険者２は、通常、医療機関３を訪れる際には保険証カード２１を提示するが、日常的に保険証カード２を携帯していると紛失する恐れがあるため、普段は自宅等に保管する場合が多い。
【００２７】
一方、近年では、多くの人々が携帯電話を所有しており、このような人々は、外出時には必ず携帯電話を携帯する。従って、被保険者２は、保険証情報を記憶させた携帯電話２２を携帯することにより、保険証カード２１を携帯していないときに不慮の事故や急病に遭っても、携帯電話２２を保険証カード２１の代用として用いることができる。
【００２８】
図４は、被保険者２が携帯電話２２を保険証カード２１の代わりに提示して受診する場合の医療機関３における事務処理の手順であり、医療機関３の受付に携帯電話２２が提示されると、先ず、携帯電話２２から有線またはる無線で、医療機関３に設置されたパソコン３２内に、インターフェイスを介して保険証情報を読み込む。次に、医療機関３のパソコン３２から、管理機関１のサーバ１１へ接続し、保険証情報を照会して被保険者２の保険証カード２１が失効していないかどうかを調べる。保険証カード２１が有効であれば、被保険者２はそのまま受診できるが、無効になっている場合には、他の手段で本人の確認を行ってから診察を行う。また、被保険者２が初診の場合や他の医療機関を同時に受診している場合には、病歴や薬歴等を確認し、被保険者２に対して、安全で適切な医療サービスを効率的に行えるようにする。
【００２９】
被保険者２の受診履歴は、医療機関３のパソコン３２からサーバ１１へ送信してサーバ１１内に記録しておく。そして、図５に示すように、後日、被保険者２が保険証カード２１を提示して受診するときに、サーバ１１内に保険証カード２１への未入力情報がある場合には、その情報を読み込んでＩＣカードドライブ３１を介し、被保険者２の保険証カード２１へ記録する。
【００３０】
また、医療機関３や薬局では、保険者に診療報酬等の保険金負担分を請求するために、サーバ１１へ被保険者２毎の診療情報や投薬情報を送信し、サーバ１１でこれらの情報を各保険者へ送信することによって、レセプトに要する事務処理を効率的に行うことができる。
【００３１】
一方、被保険者２は、携帯電話２２を用いて管理機関１のサーバ１１へ接続し、自分の病歴情報等を閲覧可能であることに加えて、サーバ１１内に、必要に応じて被保険者２自身が情報を入力可能なエリアを設けてもよい。更に、保険証カード２１を紛失したときには、携帯電話２２からサーバ１１へ所定の情報を送信し、自分の保険証カード２１が使用不能となるようにすることができる。
【００３２】
尚、被保険者２が保険証カード２１を紛失したために携帯電話２２を提示して受診し、サーバ１１から保険証カード２１が無効との判定が示された場合、携帯電話２２に記憶されている保険証情報の中に被保険者２の写真が含まれているので、その写真画像を読み込むことによって、本人を確認することができる。
【００３３】
また、携帯電話２２を用いてサーバ１１に接続し、自分の病歴情報等を読み出す際には、必ず電子鍵等の認証手段を必要とし、その認証手段を、予めサーバ１１へ登録しておく。認証手段としては、識別記号およびパスワードを入力する方法の他に、例えば自分の指紋や声紋等の身体的特徴部分をデジタル化した認識パターンを予め登録しておいて、それらを照合して本人であることを確認する方法があり、これらの認証手段を単独で或いは併用して用いて、認証手段を厳格なものとすることにより、他人に保険証情報が流出することを防ぐ。
【００３４】
尚、携帯電話２２内の記憶装置に記憶された保険証情報を読み出す際にも、パスワード等の認証手段を用いれば、携帯電話２２を紛失したときに保険証情報が流出するのを防ぐことができる。但し、携帯電話２２の所有者が例えば要介護者である場合等は、認証手段を用いることなく誰にでも介護保険証情報を引き出せるようにしてもよい。
【００３５】
また、サーバ１１には、例えば契約している全国の医療機関の診療科や設備、診療時間、休診の案内等や、病気に関する知識等の医療情報、薬剤に関する注意事項等の薬剤情報、介護サービス情報が記憶されていて、これらの各種情報は、被保険者２へのサービスとして提供される。被保険者２は、自分の病歴情報を照会する場合と同様、携帯電話２２によってサーバ１１へ接続し、必要な情報を検索しながら閲覧することができる。
【００３６】
更に、保険証カード２１の更新時期が近づくと、サーバ１１から通信網を介して、携帯電話２２に文字情報等で更新案内を送ったり、検診や投薬等の時期を、医療機関３に代わって、サーバ１１から被保険者２の携帯電話２２へ送信するようなサービスを行うこともできる。
【００３７】
以上、本発明の健康保険証における利用例を示したが、本発明は介護保険証としても、同様に利用することができる。この場合、携帯電話２２に介護保険証情報を記憶させて高齢の被保険者２が携帯電話２２を常時携帯するようにすれば、緊急時の連絡手段として利用したり被保険者２の居場所を探知したりすることができるうえ、会話が不自由な被保険者２であっても、文字情報によって情報を送受信することもできるので、利用範囲が広い。
【００３８】
【発明の効果】
本発明によると、保険証カードを携帯していないときでも、保険証情報を記憶した携帯電話を提示することによって、保険証カードを提出したときと同様に、医療や介護等のサービスを受けることができる。しかも、携帯電話からＩＣカードドライブの制御装置へ保険証情報を送信すれば、医療機関等での事務手続きが面倒になることがない。
【００３９】
そして、保険証情報として、被保険者の写真画像を記憶させておくと、被保険者本人の確認が容易且つ確実となり、保険証カードや保険証情報の不正使用を防ぐことができる。しかも、医療機関等では、例えば会話が不自由な患者であっても、患者の確認を確実に行うことができる。
【００４０】
また、本発明のシステムは、健康保険証および介護保険証の両方の機能を兼用させることによって、利用対象が拡がるうえ、医療機関と介護サービス業者との間で情報を共有することができる。
【００４１】
更に、医療機関に設けられた通信装置や被保険者が所有する携帯電話から管理機関のサーバへ接続して、情報の送受信ができることによって、医療機関等では保険証が失効していないかどうかを迅速に照会したり、診療記録等を入力してレセプトに要する事務手続きを簡略化させることができるうえ、被保険者は、例えば保険証カードを紛失した際に、保険証カードが無効になるように自分でサーバへ送信することができる。
【００４２】
また、サーバに記録された保険証情報を読み書きする際に、本人を確認する認証手段を必要とすることで、他人がサーバ内の保険証情報を読んだり改竄したりするのを防ぐことができる。
【００４３】
更に、サーバに診療録や薬歴、介護歴が記憶されると、例えば医療機関では、保険証カードを通じてサーバ内の情報を読み込むだけで、被保険者の健康状態に関する各種情報が漏れなく照会できるので、被保険者が従来と異なる医療機関や診療科を受診する際でも、病歴や薬歴等を申請し直す必要がなく、安全且つ十分な医療サービスを受けることができる。
【図面の簡単な説明】
【図１】本発明の実施の形態を示すシステム構成図である。
【図２】本発明のサーバの内部を示すデータ構成図である。
【図３】本発明の保険証カードの内部を示すデータ構成図である。
【図４】本発明において携帯電話を提示して受診する際の事務処理の流れを示すフローチャート図である。
【図５】本発明において保険証カードを提示して受診する際の事務処理の流れを示すフローチャート図である。
【符号の説明】
１  管理機関、２  被保険者、３  医療機関、１１  サーバ、１２  制御装置、２１  保険証カード、２２  携帯電話、３１  ＩＣカードドライブ、３２  パソコン
【図１】
0005086504.tif 000002
【図２】
0005086504.tif 000003
【図３】
0005086504.tif 000004
【図４】
0005086504.tif 000005
【図５】
0005086504.tif 000006